(57)【特許請求の範囲】
【請求項１】
雨水貯留槽が地下に埋設され、
この雨水貯留槽の上部に接続されたマスが、上端の開閉可能な開口部を地表に開口可能に配置して埋設された地下埋設型雨水貯留施設であって、
前記マスとして、手動ポンプを格納する格納マスを有し、
前記格納マスは、上端に地表に開口されてマス蓋により開閉される開口部が形成され、かつ、下端部に、前記格納マスを横断して支持板が取り付けられ、
前記支持板は、取水用外管固定用穴と、吐出外管格納用穴と、ポンプ部格納用穴と、が開口され、
前記手動ポンプは、外管と、この外管の内部を往復運動可能なポンプ部材と、このポンプ部材の下端に連結されて前記ポンプ部材の往復動に応じて汲み上げ作動を行う二段弁構造部と、を備え、
前記外管は、下側の取水用外管と、上側の吐出外管とに上下に分割されているとともに、前記取水用外管の上端部と前記吐出外管の下端部とが結合可能に形成され、
前記取水用外管は、その下端部が前記雨水貯留槽の底部まで延在された状態でその上端部が前記取水用外管固定用穴に固定されて前記格納マス内に格納され、
前記吐出外管は、前記格納マスと前記雨水貯留槽とに跨った状態で、前記支持板の吐出外管格納用穴に抜き差し可能な状態で前記格納マス内に格納され、
前記ポンプ部材が、前記二段弁構造部を有したポンプ下部と、前記二段弁構造部から切り離されたポンプ上部とに上下に二分割され、
前記ポンプ下部とポンプ上部とは、結合手段により結合可能に構成され、
前記手動ポンプは、格納状態では、前記ポンプ上部が、前記吐出外管の内部に保持されて前記格納マス内に格納され、前記ポンプ下部は、前記支持板の前記ポンプ部格納用穴に挿通された状態で前記格納マス内に格納されていることを特徴とする地下埋設型雨水貯留施設。
【請求項２】
前記手動ポンプは、前記ポンプ下部を前記取水用外管に挿通された前記ポンプ上部と前記結合手段により結合させるとともに、前記取水用外管の上端部に前記吐出外管の下端部を結合させて前記支持板に起立させた使用状態では、地上に露出されることを特徴とする請求項１に記載の地下埋設型雨水貯留施設。
【請求項３】
前記マスとして、前記格納マスとは独立して、前記雨水貯留槽から水を汲み上げる電動ポンプが接続された取水マスが設けられていることを特徴とする請求項１または請求項２に記載の地下埋設型雨水貯留施設。
【請求項４】
前記取水マスに、集水キャップが装着され、
この集水キャップに、前記雨水貯留槽と外部の地上施設とを接続する配管を挿通する連通孔が１または複数設けられていることを特徴とする請求項３に記載の地下埋設型雨水貯留施設。
【請求項５】
前記連通孔に配管が挿通され、この配管は、電動ポンプに接続されたポンプ配管、前記雨水貯留槽に外部から補給水を供給する補給水用配管、前記雨水貯留槽に殺菌用の流体を供給する殺菌用配管のいずれかを含むことを特徴とする請求項４に記載の地下埋設型雨水貯留施設。
【発明の詳細な説明】
【技術分野】
【０００１】
本発明は、雨水などを貯留する地下埋設型雨水貯留施設に関する。
【背景技術】
【０００２】
近年の都市型水害および渇水への備えとして、宅地敷地内への雨水などを貯水する機運が高まってきている。
【０００３】
このような雨水などを貯水する施設の中で、貯留水を散水・トイレなどに利用するものとして、１００Ｌ〜２００Ｌ程度の地上設置型のタンクが一般的である（例えば、特許文献１参照）。しかし、１００Ｌ〜２００Ｌ程度では、災害および渇水対策としては不十分である。
【０００４】
また、土地が狭い都市部の宅地では、そのタンクを設置するスペースを確保することが難しく、また、確保できた場合でも、外観との調和、および光による水質の悪化などの理由で、導入が進んでいないのが現状である。
【０００５】
そこで、この問題を解決するものとして、大型の雨水貯留槽を地下に埋設し、雨水や生活排水を取り込むとともに、生活排水は減菌して貯留し、さらに、貯留水を電動式ポンプにより汲み上げて、水洗トイレ用水、洗車、散水など日常的に貯留水を利用するようにしたものが知られている（特許文献２参照）。
【特許文献１】特開２００２−２６６３８１号公報
【特許文献２】特許第３５３０４４１号公報
【発明の開示】
【発明が解決しようとする課題】
【０００６】
しかしながら、特許文献２に記載されたような、電動ポンプにより貯留水の汲み上げを行う技術では、災害などで停電した場合には、貯留水を汲み上げることができなくなるという問題があった。
【０００７】
このような停電時の対策として、雨水貯留槽の水を手動で汲み上げる手動ポンプを設置することが考えられるが、手動ポンプを雨水貯留槽の上部に常設すると、雨水貯留槽の上部を駐車場などに利用したい場合に、手動ポンプが邪魔になり、土地の有効利用が制限される。
【０００８】
そこで、簡易的な着脱式の手動ポンプを設定し、通常は、手動ポンプを別途保管しておくことも考えられるが、災害時において、保管場所が倒壊するなど、手動ポンプを取りに行くことが困難な状況に成り得るもので、この場合、実際に取水が可能となるまで時間を要する。
【０００９】
そこで、本発明は、災害時などの停電時にも手動ポンプにより貯留水を汲み上げて使用可能で、また、手動ポンプが日常的に邪魔になることなく土地の有効利用を図ることができ、かつ、手動ポンプによる取水を、手間取ることなく短時間に可能とする地下埋設型雨水貯留施設を提供することを目的とするものである。
【課題を解決するための手段】
【００１０】
本発明は、上述事情に鑑みなされたものであって、請求項１に記載の発明は、  雨水貯留槽が地下に埋設され、この雨水貯留槽の上部に接続されたマスが、上端の開閉可能な開口部を地表に開口可能に配置して埋設された地下埋設型雨水貯留施設であって、前記マスとして、手動ポンプを格納する格納マスを有し、前記格納マスは、上端に地表に開口されてマス蓋により開閉される開口部が形成され、かつ、下端部に、前記格納マスを横断して支持板が取り付けられ、前記支持板は、取水用外管固定用穴と、吐出外管格納用穴と、ポンプ部格納用穴と、が開口され、前記手動ポンプは、外管と、この外管の内部を往復運動可能なポンプ部材と、このポンプ部材の下端に連結されて前記ポンプ部材の往復動に応じて汲み上げ作動を行う二段弁構造部と、を備え、前記外管は、下側の取水用外管と、上側の吐出外管とに上下に分割されているとともに、前記取水用外管の上端部と前記吐出外管の下端部とが結合可能に形成され、前記取水用外管は、その下端部が前記雨水貯留槽の底部まで延在された状態でその上端部が前記取水用外管固定用穴に固定されて前記格納マス内に格納され、前記吐出外管は、前記格納マスと前記雨水貯留槽とに跨った状態で、前記支持板の吐出外管格納用穴に抜き差し可能な状態で前記格納マス内に格納され、前記ポンプ部材が、前記二段弁構造部を有したポンプ下部と、前記二段弁構造部から切り離されたポンプ上部とに上下に二分割され、前記ポンプ下部とポンプ上部とは、結合手段により結合可能に構成され、前記手動ポンプは、格納状態では、前記ポンプ上部が、前記吐出外管の内部に保持されて前記格納マス内に格納され、前記ポンプ下部は、前記支持板の前記ポンプ部格納用穴に挿通された状態で前記格納マス内に格納されていることを特徴とする。
【００１１】
請求項２に記載の発明は、請求項１に記載の地下埋設型雨水貯留施設において、前記手動ポンプは、前記ポンプ下部を前記取水用外管に挿通された前記ポンプ上部と前記結合手段により結合させるとともに、前記取水用外管の上端部に前記吐出外管の下端部を結合させて前記支持板に起立させた使用状態では、地上に露出されることを特徴とする。
【００１２】
請求項３に記載の発明は、請求項１または請求項２に記載の地下埋設型雨水貯留施設において、前記マスとして、前記格納マスとは独立して、前記雨水貯留槽から水を汲み上げる電動ポンプが接続された取水マスが設けられていることを特徴とする。
【００１３】
請求項４に記載の発明は、請求項３に記載の地下埋設型雨水貯留施設において、前記取水マスに、集水キャップが装着され、この集水キャップに、前記雨水貯留槽と外部の地上施設とを接続する配管を挿通する連通孔が１または複数設けられていることを特徴とする。
【００１４】
請求項５に記載の発明は、請求項４に記載の地下埋設型雨水貯留施設において、前記連通孔に配管が挿通され、この配管は、電動ポンプに接続されたポンプ配管、前記雨水貯留槽に外部から補給水を供給する補給水用配管、前記雨水貯留槽に殺菌用の流体を供給する殺菌用配管のいずれかを含むことを特徴とする。
【発明の効果】
【００１９】
請求項１に記載の地下埋設型雨水貯留施設では、手動ポンプを、雨水貯留槽の上部に埋設されたマスに格納したため、日常は、手動ポンプが邪魔になることなく、雨水貯留槽の上部の土地を駐車場などに有効利用することができる。
【００２０】
また、雨水貯留槽上部のマスに格納した手動ポンプにより電気を用いずに水を汲み上げることができる。この場合、手動ポンプを雨水貯留槽から離れた場所に取りに行く必要が無いため、手間取ることなく短時間で取水可能とすることができ、災害時などの緊急時に素早く取水可能となる。
【００２１】
本発明では、手動ポンプを、マスから雨水貯留槽の内部に跨って格納したため、全長の長い手動ポンプの格納が容易となる。すなわち、雨水貯留槽内の水を全て汲み上げるには、手動ポンプの吸入口を雨水貯留槽の底部に配置する必要があり、そのようにすると、手動ポンプの全長が長くなる。そこで、手動ポンプをマスのみに格納するのではなく、マスと雨水貯留槽に跨らせて格納することで、全長の長い手動ポンプの格納が容易となる。
上記効果に加え、本発明では、手動ポンプを、分割して格納したため、全長の長い手動ポンプであっても、限られたスペースに格納するのが容易となり、かつ、使用時には、必要な長さを得ることができる。
さらに、請求項２に記載の発明では、手動ポンプが、格納状態では、地表から全没してマス内に格納されているのに対し、使用時には、地上に露出されることから、全没したままで使用するのに比べて、使い勝手に優れる。
【００２２】
請求項３に記載の発明では、手動ポンプを格納する格納マスと、電動ポンプにより取水を行う取水マスとをそれぞれ独立して設けたため、電動ポンプにより揚水するための配管などと、格納した手動ポンプとが、干渉するおそれが無く、手動ポンプの格納が容易であるとともに、手動ポンプと、取水用の配管あるいは配線などと、が干渉することが無く、施工が容易であるとともに、高い設置自由度が得られる。
【００２３】
請求項４に記載の発明では、取水マスに装着された集水キャップに設けられた連通孔に、雨水貯留槽と外部の地上施設とを接続する配管を挿通するようにしたため、雨水貯留槽や取水マスに接続用の加工が不要であり、取水マスとして既存のマスを用いることができ製造が容易であるとともに、施工時の工数を抑えることができ施工の容易化が可能である。
【００２４】
さらに、連通孔として複数の連通孔を設定したものでは、外部の地上施設などの仕様に応じ、集水キャップに貫通させる配管などの増減が容易であり、設置の際の設計自由度に優れるとともに、設置後の設備変更に対する対応性にも優れる。
【００２６】
請求項５に記載の発明では、集水キャップを通じて、電動ポンプによる汲み上げ、外部からの補給水の供給、雨水貯留槽内の水の殺菌、のいずれかあるいは全てが可能となる。
【発明を実施するための最良の形態】
【００３０】
以下、本発明の実施の形態を図面に基づいて説明する。
【００３１】
（実施の形態１）
図１は、実施の形態１の地下埋設型雨水貯留施設Ａを示している。
【００３２】
まず、全体の構成の概略を説明する。
【００３３】
図１に示すように、実施の形態１の地下埋設型雨水貯留施設Ａは、地下に埋設した雨水貯留槽１と、雨水貯留槽１の上部に取り付けられた流入マス２、取水マス３、格納マス４の３つのマスと、雨水貯留槽１に対して上水の補給、貯留水の殺菌および雨水貯留槽１の貯留水の汲み上げを行う地上施設５と、を備えている。
【００３４】
まず、雨水貯留槽１の構造について説明する。この雨水貯留槽１は、雨水などの自然水を一時貯留するためのもので、略直方体形状に形成され、地面Ｇを掘り下げて埋設されている。
【００３５】
本実施の形態１では、雨水貯留槽１は、図２に示すように、複数の充填部材１１を上下方向および水平方向に連続的に並べて結合し、最上段の充填部材１１の上面を天板材１０で塞ぎ、最下段の充填部材１１の下面を底板材１４で塞ぎ、その外側面を、側板部材１５で塞ぎ（図１参照）、さらに、その外周面を図示を省略した遮水シートで覆うことで、所定の容量に形成されている。
【００３６】
なお、本実施の形態１では、充填部材１１は、上下方向に３個重ねられ、水平方向は、図３の平面図に示すように、図中矢印Ｘで示す縦方向には、４個連続して並べられ、矢印Ｙで示す横方向には、３個連続して並べられている。
【００３７】
ここで充填部材１１について説明すると、充填部材１１は、雨水貯留槽１の貯留空間の内周を支持する骨格を形成するとともに、雨水などを所定の方向へ誘導するもので、ポリプロピレン、ポリエチレン、ポリ塩化ビニル、ポリエチレンテレフタレートなどのプラスチックを成形して製造されたもので、図４に示すように、上方から見て略正方形の傾斜板１１ａと、この傾斜板１１ａの四隅に一体に形成され、上方からの荷重を下方の部材を介して伝達する４本の脚部１１ｂと、を有している。
【００３８】
なお、傾斜板１１ａは、水平面に対して所定の傾斜角度（この実施の形態１では５度程度）で傾斜されており、傾斜の下がり方向が取水マス３を向くように配置されている。すなわち、図３の平面図において、二等辺三角形の角度の狭い頂点の方向が、傾斜板１１ａの傾斜の下がり方向を示しており、取水マス３との設置位置と印Ｙ方向で同じ列の充填部材１１は、下がり方向が取水マス３の方向を向くよう矢印Ｙ方向に向けられている。また、取水マス３と矢印Ｙ方向で異なる３列の充填部材１１は、それぞれ下がり方向が取水マス３を向くよう矢印Ｘ方向に向けられている。
【００３９】
また、図４に示すように、脚部１１ｂの上部には、後述する連結部材１２を嵌め合わせるための、上面視略直角二等辺三角形状に下方へ凹設された上側嵌合部１１ｃが形成され、一方、脚部１１ｂの下部には、後述する連結部材１２あるいは第２連結部材１３を嵌め合わせるための、下面視略直角二等辺三角形状に上方へ凹設された下側嵌合部１１ｄが形成されている。
【００４０】
また、充填部材１１において、取水マス３および格納マス４の下方に配置されたものの傾斜板１１ａには、図３および図５に示すように、傾斜板１１ａの中央に、取水マス３および格納マス４と略同径の貫通穴１１ｆが開口されている。
【００４１】
充填部材１１の上下方向および水平方向の結合は、連結部材１２により成されている。この連結部材１２は、充填部材１１の連結および上下方向の荷重の伝達を行うもので、図６に示すように、上面視直角二等辺三角形を形成する３つの垂直面１２ａを有し、直交する２枚の垂直面１２ａ，１２ａの一方に接合凸部１２ｂが水平方向に突出形成され、他方に接合凸部１２ｂを嵌合可能な接合凹部１２ｃが形成されている。
【００４２】
さらに、連結部材１２の上部に、上側接続部１２ｄが形成され、連結部材１２の下部に、上側接続部１２ｄと上下逆の下側接続部１２ｅが形成されている。そして、この連結部材１２は、図２に示すように、上側接続部１２ｄを、その上方に位置する充填部材１１の脚部１１ｂの下側嵌合部１１ｄに嵌合させ、一方、下側接続部１２ｅを、その下方に位置する充填部材１１の脚部１１ｂの上側嵌合部１１ｃに嵌合させることを繰り返すことで、充填部材１１が連結部材１２により上下方向に連結されている。
【００４３】
また、充填部材１１の水平方向の結合は、これら充填部材１１の上下間に介在された連結部材１２どうしを結合させることで行っている。すなわち、隣り合う連結部材１２の一方の接合凸部１２ｂを、他方の連結部材１２の接合凹部１２ｃに差し込み係合させることを繰り返すことで、水平方向に連結されている。
【００４４】
さらに、最上段の充填部材１１の上面と、最下段の充填部材１１の下面とには、それぞれ天板材１０と、底板材１４とが結合されている。これら天板材１０と底板材１４とは、それぞれ同じものを上下の向きを変えて使用されている。天板材１０は、図７に示すように、水平板１０ｂと、水平板１０ｂの下方周囲に形成された側板１０ｃと、を有しており、水平板１０ｂと側板１０ｃとで囲まれた空間内に補強リブ１０ｄ（図２の底板材１４参照）が縦横に形成されている。底板材１４は、上述したように、この天板材１０を上下逆にしたものであるので、構造の説明は省略する。
【００４５】
そして、天板材１０は、連結部材１２を介して最上段の充填部材１１と連結されている。一方、底板材１４は、図８に示す第２連結部材１３を介して、最下段の充填部材１１と連結されている。なお、第２連結部材１３は、その上部に充填部材１１の下側嵌合部１１ｄに差し込み可能な上側接続部１３ａが形成され、一方、その下部に底板材１４のコーナ部に差し込み可能な下側接続部１３ｂが形成されている。
【００４６】
なお、天板材１０のうち、流入マス２、取水マス３、格納マス４が取り付けられる部位に配置されるものの水平板１０ｂには、図９に示すように、各マス２，３，４と略同径の開口１０ｅが形成されている。
【００４７】
さらに、上述のように連結された充填部材１１のうちで、外側に配置された充填部材１１には、側板部材１５が取り付けられて、充填部材１１の側面の開口部分が塞がれている。これら側板部材１５の充填部材１１への取り付けは、本実施の形態１では、連結部材１２に凸設した接合凸部１２ｂを、側板部材１５に形成された図示を省略した穴あるいは凹部へ差し込むことで行われている。なお、この側板部材１５の取り付けにおいて、接合の凸と凹との関係は、実施の形態１とは逆にしてもよく、すなわち、側板部材１５に形成した凸部を連結部材１２の接合凹部１２ｃに差し込むようにしてもよいし、あるいは、ピン、ボルトなどを用いたり、溶着、接着など他の手段を用いたりしてもよい。
【００４８】
次に、流入マス２、取水マス３、格納マス４について説明する。これらのマス２，３，４としては、既存の規格品である同径のマスが用いられている。
【００４９】
流入マス２は、雨水などの自然水を雨水貯留槽へ流入させるもので、図１に示すように、天板材１０の開口１０ｅに接続され、側部に設けられた２つの受口２１，２２には、一方の受口２１に雨水などの自然水が流入する接続管としての流入管２３が挿入状態で接続され、もう一方の受口２２に、雨水貯留槽１の満水時にオーバフローさせる接続管としての流出管２５が挿入状態で接続されている。
【００５０】
なお、流入マス２の上端には、地表に開口され図示を省略したマス蓋により開閉可能な開口部２ａが設けられている。また、流入管２３は、例えば、図１６に示す、建物２４の屋根２４ａに降った雨を集める軒樋２４ｂに接続された竪樋２４ｃなどに接続され、建物２４に降った雨を集めるように構成されている。
【００５１】
取水マス３は、雨水貯留槽１に貯まった水を取水するもので、上端に地表に開口されて図外のマス蓋により開閉される開口部３ａが形成され、かつ、側部には、受口２１，２２と同規格の既存の受口３１が設けられている。そして、この受口３１の内部に集水キャップ６が装着されている。
【００５２】
この集水キャップ６は、雨水貯留槽１と外部の地上施設５とを接続する配管を貫通させて、雨水貯留槽１と外部とを接続させるための手段であって、図１０および図１１に示すように、受口３１の内周に挿入して接続可能な接続口径（実施の形態１では外径）を有した外筒６１と、この外筒６１の内部を塞いだ蓋部６２と、この蓋部６２を貫通され、３つの連通孔６３ａ，６４ａ，６５ａを形成する３本の連通パイプ６３，６４，６５と、が一体に形成され、外筒６１を受口３１の内周に接着あるいは溶着して固定されている。これら連通孔６３ａ，６４ａ，６５ａは、不要なものは、図示を省略したキャップで任意に塞ぐことができる。本実施の形態１では、全ての連通孔６３ａ，６４ａ，６５ａが開口されており、後述するポンプ吸入配管（ポンプ配管）５１ａ、補給水用配管５２ａ、殺菌用配管５３ａの３本の管が挿通されている。
【００５３】
格納マス４は、手動ポンプ７を格納するためのもので、上端に地表に開口されて図外のマス蓋により開閉される開口部４ａが形成され、かつ、下端部に、支持板４１が取り付けられている。
【００５４】
支持板４１は、上面視で略円形に形成された円板で、格納マス４の内部を横断して固定されており、図１２に示すように、取水用外管固定用穴４１ａと、吐出外管格納用穴４１ｂと、ポンプ部格納用穴４１ｃと、が開口され、手動ポンプ７の各部が格納される。
【００５５】
手動ポンプ７は、図１３および図１４に示すように、円筒形の外管７１と、この外管７１の内部を往復運動可能な図示を省略したポンプ部材と、このポンプ部材の下端に連結されてポンプ部材の往復動に応じて汲み上げ作動を行う図示を省略した二段弁構造部と、を備えている。
【００５６】
そして、外管７１の上端部には、汲み上げた水を吐出する吐出口７２が一体に形成され、さらに、外管７１の上端部には、ポンプ部材に連結されて上下動させることで二段弁構造を汲み上げ作動させるハンドル部７３が設けられている。なお、このような構造の手動ポンプとしては、特許第３４５７３０１号公報に記載のものが知られている。
【００５７】
また、外管７１は、下側の取水用外管７１ａと、上側の吐出口７２を備えた吐出外管７１ｂとに、上下に二分割されており、かつ、取水用外管７１ａの上端部と、吐出外管７１ｂの下端部とが、両者に形成された雌ネジと雄ネジなどの結合手段により結合可能に形成されている。そして、下側の取水用外管７１ａは、その上端部が支持板４１の取水用外管固定用穴４１ａに固定され、格納マス４の下端部から、雨水貯留槽１の底部まで延在されている。一方、吐出外管７１ｂは、格納マス４と雨水貯留槽１とに跨った状態で、支持板４１の吐出外管格納用穴４１ｂに抜き差し可能に挿通された状態で格納されている。
【００５８】
そして、図示を省略したポンプ部材が、上下に二分割され、二段弁構造部から切り離されたポンプ上部は、吐出外管７１ｂの内部に保持され、二段弁構造部を有したポンプ下部が支持板４１のポンプ部格納用穴４１ｃに挿通された状態で格納されている。上記図示を省略したポンプ下部とポンプ上部とは、外管７１と同様にネジなどの結合手段により結合可能に構成されている。
【００５９】
したがって、手動ポンプ７を組み立てる際には、まず、吐出外管７１ｂに保持されたポンプ上部と、支持板４１に保持されたポンプ下部とを結合させてポンプ部材を組み立てた後、ポンプ部材を支持板４１に固定された取水用外管７１ａに挿入させ、さらに、吐出外管７１ｂを取水用外管７１ａに結合させ、組立を終える。この組立状態において、手動ポンプ７は、図１４に示すように、支持板４１に保持され起立した状態で地上に露出されることになる。
【００６０】
次に、地上施設５について説明する。
【００６１】
本実施の形態１では、地上施設５は、図１に示すように、取水部５１と、上水補給部５２と、殺菌部５３と、を備えている。
【００６２】
取水部５１は、雨水貯留槽１に貯められた水を汲み上げ、トイレや散水用の中水として中水管５４へ供給するもので、内部に電動ポンプ５１ｂ（図１７参照）を有するとともに、この電動ポンプ５１ｂの吸入側に接続されたポンプ吸入配管５１ａを有している。そして、ポンプ吸入配管５１ａは、前述した集水キャップ６の連通孔６３ａを貫通して、取水マス３から雨水貯留槽１の下部まで延在されている。
【００６３】
なお、ポンプ吸入配管５１ａの先端は、雨水貯留槽１の底部から所定の高さの位置に配置されている。したがって、雨水貯留槽１の底部には、ポンプ吸入配管５１ａの先端よりも下方に、取水部５１の電動ポンプ５１ｂで汲み上げることのできない、緊急用の水を確保する緊急用水空間１ａが設けられている。なお、雨水貯留槽１において、緊急用水空間１ａの上側は、日常的に中水として使用するための水を貯留する日常用水空間１ｂである。
【００６４】
上水補給部５２は、雨水貯留槽１の水が不足した場合に上水を補給するためのもので、上水道５５と補給水用配管５２ａとが接続され、補給水用配管５２ａが集水キャップ６の連通孔６４ａを貫通して取水マス３内に延在され、上水道５５の上水を雨水貯留槽１へ供給可能に構成されている。
【００６５】
この上水補給部５２における上水の供給と供給停止との切換は、フロート５２ｂに接続されたフロートバルブ５２ｃにより成される。すなわち、図１５に示すように、取水マス３の上部に配置された補給水用配管５２ａの先端に、この先端を開閉するフロートバルブ５２ｃが取り付けられている。このフロートバルブ５２ｃは、フロート５２ｂに接続されており、フロート５２ｂが水に浮いてその重量がフロートバルブ５２ｃに作用しない状態ではフロートバルブ５２ｃが閉弁されて雨水貯留槽１への上水の補給を停止する。一方、雨水貯留槽１の水位が日常用水空間１ｂの底部まで下がって、フロート５２ｂが水面から離れてその重量がフロートバルブ５２ｃに作用すると開弁されて雨水貯留槽１へ上水が補給される構造になっている。
【００６６】
したがって、渇水などで雨水貯留槽１に雨水などの供給が長期間成されず、雨水貯留槽１の水位が緊急用水空間１ａ付近まで低下したときには、フロートバルブ５２ｃが開弁して上水補給部５２による上水の供給が成され、雨水貯留槽１の水位が、常に、緊急用水空間１ａよりも高い位置に保たれる。
【００６７】
殺菌部５３は、雨水貯留槽１内の水を生活水として使用可能な程度に殺菌あるいは減菌するもので、流入側に中水管５４に接続された中水供給管５３ｂが接続され、流出側に集水キャップ６の連通孔６５ａを貫通して取水マス３の上部に先端が配置された殺菌用配管５３ａが接続されていて、取水部５１の作動時に中水管５４に供給される中水の一部が殺菌部５３を通って殺菌用配管５３ａから雨水貯留槽１へ戻されるようになっている。そして、この殺菌部５３では、雨水貯留槽１へ戻される中水に塩素などの殺菌・減菌剤を、接触あるいは注入する。
【００６８】
すなわち、図１７は、殺菌部５３の一例の概略を示すもので、殺菌部５３は、水を貯留可能な溶解器５３ｃを備え、この溶解器５３ｃに、中水供給管５３ｂから中水が供給される。中水供給管５３ｂは、中水管５４から分岐され、途中に、電動ポンプ５１ｂの駆動に連動して開閉する電磁弁５３ｄが設けられ、電動ポンプ５１ｂが汲み上げを行う際に、これに連動して、駆動開始から一定時間だけ開弁して、貯留水の一部を溶解器５３ｃへ導入する。
【００６９】
また、溶解器５３ｃの内部には、薬筒５３ｅが設けられている。この薬筒５３ｅには、水溶性の殺菌剤５３ｆが設けられていて、この殺菌剤５３ｆの溶解液が殺菌用配管５３ａを介して、雨水貯留槽１へ戻される。
【００７０】
次に、実施の形態１の地下埋設型雨水貯留施設Ａの作用について説明する。
【００７１】
建物２４の屋根２４ａなどで集められた雨水などの自然水は、流入管２３を通って流入マス２に流れ込んだ後、雨水貯留槽１に貯められる。このように、雨水が雨水貯留槽１へ一時貯留されるため、河川や下水施設などが豪雨によって急激に増水することが抑制される。
【００７２】
また、雨水貯留槽１へ貯められた貯留水は、必要に応じて、取水部５１において電動ポンプ５１ｂを駆動させることで、中水管５４へ揚水され、トイレの水洗や散水・洗車などに利用される。
【００７３】
なお、ポンプ吸入配管５１ａの先端は、緊急用水空間１ａの上端位置に開口されているため、取水部５１は、緊急用水空間１ａの貯留水を汲み上げることはない。
【００７４】
さらに、雨水貯留槽１の貯留水を使用して雨水貯留槽１の水位が低下し、水位が緊急用水空間１ａの近傍まで低下したときには、フロート５２ｂが水面から離れる。これにより、フロートバルブ５２ｃが開弁して上水補給部５２を介して上水が雨水貯留槽１に供給される。なお、この上水の供給は、雨水貯留槽１の水位が上昇して、フロート５２ｂが水面に浮いた状態になった時点で、フロートバルブ５２ｃが閉弁して停止される。
【００７５】
したがって、渇水が続くなどして雨水などの供給が長期間成されない場合でも、緊急用水空間１ａの貯留水は確保される。
【００７６】
次に、災害時など、上水の供給が停止され、かつ、停電した時には、以下に述べるようにして、雨水貯留槽１の貯留水を手動ポンプ７により汲み上げて使用することができる。
【００７７】
すなわち、停電して電動ポンプ５１ｂによる取水ができなくなった時には、格納マス４のマンホール蓋を開けて、支持板４１に格納保持された手動ポンプ７のポンプ上部と吐出外管７１ｂを取り出し、これらをそれぞれポンプ下部および取水用外管７１ａに接続して図１４に示すように、手動ポンプ７を組み立てて、地上に起立して露出した状態で支持板４１に保持固定された状態とすることができる。
【００７８】
そして、この状態でハンドル部７３を上下に往復動させると、雨水貯留槽１に貯留された水が汲み上げられ、吐出口７２から吐出され、この水を使用することができる。
【００７９】
以上説明したように、実施の形態１の地下埋設型雨水貯留施設では、緊急時などに手動で汲み上げを行う手動ポンプ７を、雨水貯留槽１の上部に埋設した格納マス４に地表から全没させた状態で格納するようにしたため、日常は、手動ポンプ７が邪魔になることなく、雨水貯留槽１の上部を駐車場などに有効利用することができる。
【００８０】
また、災害時などの停電時において、電動ポンプ５１ｂにより雨水貯留槽１の水を汲み上げることができなくなった場合は、格納した手動ポンプ７を組み立てて、電気を用いずに水を汲み上げることができる。しかも、手動ポンプ７は、雨水貯留槽１の上部の格納マス４に格納しているため、雨水貯留槽１から離れた場所に格納した場合のように、手動ポンプ７を取りに行くことができない状況に成り難く、取水を容易に行うことができる。
【００８１】
さらに、手動ポンプ７を格納マス４内に格納するにあたり、手動ポンプ７を分解して格納したため、限られたスペースに格納することが容易となる。しかも、この格納時には、手動ポンプ７を分解した取水用外管７１ａ、吐出外管７１ｂ、ポンプ下部などを格納マス４と雨水貯留槽１とに跨らせて格納しているため、雨水貯留槽１の底部までの長さを有した手動ポンプ７の格納が容易となる。
【００８２】
取水マス３の受口に取り付けられた集水キャップ６の連通パイプ６３，６４，６５に、雨水貯留槽１と外部の地上施設５とを接続するポンプ吸入配管５１ａ、補給水用配管５２ａ、殺菌用配管５３ａの３本の配管を貫通して取り付けた構造としたため、雨水貯留槽１や取水マス３に接続用の加工が不要であり、製造が容易である。
【００８３】
さらに、地下埋設型雨水貯留施設Ａの仕様に応じて、集水キャップ６に貫通させる配管など増減が容易であり、設置の際の設計自由度に優れるとともに、設置後の設備変更に対する対応性にも優れる。
【００８４】
集水キャップ６は、取水マス３の受口３１に接続する接続管（流入管２３、流出管２５）の接続口径と同一の接続口径に形成したため、取付作業が容易であり、かつ、高いシール性を得ることができ、さらに、受口３１として既存のものを用いて低コスト化を図ることができる。
【００８５】
また、格納マス４に、手動ポンプ７を格納し、取水マス３に、ポンプ吸入配管５１ａ、補給水用配管５２ａ、殺菌用配管５３ａの３本の管を取り付けるとともに、フロート５２ｂを設置するようにしたため、同一のマスに格納した場合のように、フロート５２ｂなどが、格納した手動ポンプ７と干渉するおそれが無く、手動ポンプ７の格納が容易であり、かつ、手動ポンプ７が、フロートバルブ５２ｃの作動に悪影響を与えることがなく、しかも、手動ポンプ７が、接続手段としてのポンプ吸入配管５１ａ、補給水用配管５２ａ、殺菌用配管５３ａの設置の障害となることもない。
【００８６】
さらに、手動ポンプ７を、分割して格納したため、全長の長い手動ポンプを限られたスペースに、格納することが容易となる。
【００８７】
また、手動ポンプ７を、格納マス４から雨水貯留槽１の内部に跨って格納したため、全長の長い手動ポンプ７を少ない分割で格納することができ、構造の簡略化を図ることができる。
【００８８】
（他の実施の形態）
以下に、他の実施の形態について説明する。なお、これら他の実施の形態の説明にあたり、実施の形態１と同一あるいは均等の構成には、実施の形態１と同一の符号を付けてその説明を省略する。
【００８９】
（実施の形態２）
実施の形態２の地下埋設型雨水貯留施設を図１８に基づいて説明する。
【００９０】
この実施の形態２の地下埋設型雨水貯留施設は、図１８（ａ）に示すように、地上施設５として、取水部５１のみを設けた形態である。したがって、集水キャップ６は、図１８（ｂ）に示すように、３本の連通パイプ６３，６４，６５のうち１本の連通パイプ６３のみに連通孔６３ａを開口して、ポンプ配管としてのポンプ吸入配管５１ａを挿通させ、残りの２本の連通パイプ６４，６５の連通孔６４ａ，６５ａは図示を省略したキャップにより塞いだ未使用状態となっている。なお、図において未使用状態は、連通孔６４ａ，６５ａを黒く塗りつぶすことで表記している。
【００９１】
なお、ポンプ吸入配管５１ａは、図示のように、直線状のパイプ５１ｃ，５１ｃ，５１ｃと、略９０度に曲がったエルボ５１ｄ，５１ｄと、を接続して配管されている。
【００９２】
他の構成、すなわち、雨水貯留槽１、流入マス２、格納マス４、および格納マス４に格納された手動ポンプ７などについては、実施の形態１と同様であるので説明を省略する。
【００９３】
このように、集水キャップ６は、連通パイプ６３，６４，６５の連通孔６３ａ，６４ａ，６５ａに配管などを挿通させて使用したり、未使用のものはキャップなどで塞いだりすることで、１つの仕様の集水キャップ６を種々の地下埋設型雨水貯留施設の仕様に対応させて用いることができる。
【００９４】
（実施の形態３）
実施の形態３の地下埋設型雨水貯留施設を図１９に基づいて説明する。
【００９５】
この実施の形態３の地下埋設型雨水貯留施設は、雨水貯留槽１の底部に水中ポンプ３００を設置した例である。
【００９６】
この水中ポンプ３００は、雨水貯留槽１内の貯留水を吸入し、ポンプ配管としてのポンプ吐出配管３５１ａを介して、外部の地上施設としての中水管５４に吐出する。したがって、本実施の形態３では、集水キャップ６は、２つの連通孔６３ａ，６５ａが開口状態で使用され、ポンプ吐出配管３５１ａおよび水中ポンプ３００に電力を供給する地上施設としての電源に接続された電源コード３０１と、が連通孔６３ａ，６５ａに挿通されている。なお、集水キャップ６において、残りの連通パイプ６４の連通孔６４ａは、図示を省略したキャップで塞がれた未使用状態となっている。
【００９７】
以上のように、集水キャップ６は、１つの仕様で、地下埋設型雨水貯留施設の複数の仕様に対応することができる。
【００９８】
他の構成については、実施の形態１と同様であるので説明を省略する。
【００９９】
（実施の形態４）
実施の形態４の地下埋設型雨水貯留施設を図２０に基づいて説明する。
【０１００】
この実施の形態４の地下埋設型雨水貯留施設は、地上施設５において取水部５１と上水補給部５２を設け、殺菌部５３を設置していない例である。
【０１０１】
したがって、集水キャップ６では、３本の連通パイプ６３，６４，６５のうち２本の連通パイプ６３，６５の連通孔６３ａ，６５ａが使用されて、ポンプ吸入配管５１ａと補給水用配管５２ａが挿通されおり、連通パイプ６４の連通孔６４ａは、未使用となっている。
【０１０２】
以上のように、集水キャップ６は、１つの仕様で、地下埋設型雨水貯留施設の複数の仕様に対応することができる。
【０１０３】
他の構成については、実施の形態１と同様であるので説明を省略する。
【０１０４】
以上、図面を参照して、本発明の実施の形態１ないし４について詳述してきたが、具体的な構成は、この実施の形態１ないし４に限定されるものではなく、本発明の要旨を逸脱しない程度の設計的変更は、本発明に含まれる。
【０１０７】
集水キャップ６は、受口３１に挿入して装着した例を示したが、受口３１の外側に装着するようにしてもよい。あるいは、マスの側面に形成した開口に装着してもよい。
【０１０８】
さらに、集水キャップ６に形成する連通孔として、連通パイプ６３，６４，６５に連通孔６３ａ，６４ａ，６５ａを形成した例を示したが、これに限定されず、蓋部６２に直接連通孔を開口するなど、他の態様としてもよい。また、連通孔の数としては、最低１つ有ればよく、複数設ける場合でも実施の形態で示した３に限定されない。
【０１０９】
さらに、連通孔６３ａ，６４ａ，６５ａは、あらかじめ開口しておき、未使用のものはキャップで塞ぐ態様を示したが、これに限定されるものではなく、これとは逆に、連通孔は、製造時には、一体に形成した薄い蓋などで塞いでおき、施工時に、必要な数の連通孔を開口して使用するようにしてもよい。
【０１１０】
さらに、実施の形態では、外部の地上施設５と雨水貯留槽１とを連通する配管を、受口３１に装着した集水キャップ６の連通孔６３ａ，６４ａ，６５ａを通過させて配管した例を示したが、集水キャップ６を使用せずに、配管を通すようにしてもよい。この場合、配管を、受口３１にそのまま通過させることもできるし、あるいは、受口３１を有していないマスの側面に施工前あるいは施工時に直接連通孔を開口し、この連通孔に配管を通すようにしてもよい。
【０１１１】
また、手動ポンプとしては、実施の形態で示した手動ポンプ７に限定されるものではなく、要は手動で雨水貯留槽１内の水を汲み上げることができ、かつ、マスに格納できるものなら、どのような構造のものを用いてもよい。
【０１１３】
例えば、マスに格納した状態のまま使用するものを用いてもよい。この場合、手動ポンプの吐出側に可撓性を有したホースあるいは伸縮可能な構造を設け、吐出口をマスの外部に配置可能に構成し、かつ、汲み上げ操作を行う操作手段（実施の形態のハンドル部材に相当するもの）も、マスの外部に延在可能としたり、あるいは、長尺の操作手段を接続したりして、操作手段をマスの外部に配置可能とすることで、手動ポンプ本体は、マスに格納したままで使用できる。
【０１１５】
また、雨水貯留槽１は、実施の形態では、複数の充填部材１１を結合したものを示したが、これに限定されず、周知のタンク状のものを埋設してもよい。
【図面の簡単な説明】
【０１１６】
【図１】本発明の実施の形態１の地下埋設型雨水貯留施設Ａを示す全体図である。
【図２】本発明の実施の形態１の地下埋設型雨水貯留施設Ａの雨水貯留槽１を構成する充填部材１１の連結構造を説明する分解斜視図である。
【図３】本発明の実施の形態１の地下埋設型雨水貯留施設Ａにおける充填部材１１の結合状態および傾斜板１１ａの傾斜の向きを示す平面図である。
【図４】本発明の実施の形態１の地下埋設型雨水貯留施設Ａに用いた充填部材１１を示す斜視図である。
【図５】本発明の実施の形態１の地下埋設型雨水貯留施設Ａに用いた充填部材１１を示す斜視図である。
【図６】本発明の実施の形態１の地下埋設型雨水貯留施設Ａに用いた連結部材１２を示す斜視図である。
【図７】本発明の実施の形態１の地下埋設型雨水貯留施設Ａに用いた天板材１０を示す斜視図である。
【図８】本発明の実施の形態１の地下埋設型雨水貯留施設Ａに用いた第２連結部材１３を示す斜視図である。
【図９】本発明の実施の形態１の地下埋設型雨水貯留施設Ａに用いた天板材１０を示す斜視図である。
【図１０】本発明の実施の形態１の地下埋設型雨水貯留施設Ａに用いた集水キャップ６を示す正面図である。
【図１１】本発明の実施の形態１の地下埋設型雨水貯留施設Ａに用いた集水キャップ６を示す断面図であって、図１０のＳ１１−Ｓ１１線で切った状態を示す。
【図１２】本発明の実施の形態１の地下埋設型雨水貯留施設Ａに用いた支持板４１を示す平面図である。
【図１３】本発明の実施の形態１の地下埋設型雨水貯留施設Ａの手動ポンプ７の格納状態を示す説明図である。
【図１４】本発明の実施の形態１の地下埋設型雨水貯留施設Ａの手動ポンプ７の使用状態を示す説明図である。
【図１５】本発明の実施の形態１の地下埋設型雨水貯留施設Ａの要部を示す断面図である。
【図１６】本発明の実施の形態１の地下埋設型雨水貯留施設Ａの雨水の収集状態を示す説明図である。
【図１７】本発明の実施の形態１の地下埋設型雨水貯留施設Ａの殺菌部５３の構造を示す断面図である。
【図１８】本発明の実施の形態２の地下埋設型雨水貯留施設を示す説明図であって、（ａ）は要部の断面図、（ｂ）集水キャップの正面図である。
【図１９】本発明の実施の形態３の地下埋設型雨水貯留施設を示す説明図であって、（ａ）は要部の断面図、（ｂ）集水キャップの正面図である。
【図２０】本発明の実施の形態４の地下埋設型雨水貯留施設を示す説明図であって、（ａ）は要部の断面図、（ｂ）集水キャップの正面図である。
【符号の説明】
【０１１７】
１    雨水貯留槽
２    流入マス
２ａ  開口部
３    取水マス
３ａ  開口部
４    格納マス
４ａ  開口部
５    地上施設
６    集水キャップ
７    手動ポンプ
２３  流入管（接続用管）
２５  流出管（接続用管）
３１  受口
４１  支持板
５１  取水部
５１ａ      ポンプ吸入配管
５１ｂ      電動ポンプ
５２  上水補給部
５２ａ      補給水用配管
５３  殺菌部
５３ａ      殺菌用配管
５４  中水管（地上施設）
５５  上水道
６３ａ      連通孔
６４ａ      連通孔
６５ａ      連通孔
３００      水中ポンプ
３０１      電源コード
３５１ａポンプ吐出配管
Ａ    実施の形態１の地下埋設型雨水貯留施設
Ｇ    地面
【図１】
0004603449.tif 000002
【図２】
0004603449.tif 000003
【図３】
0004603449.tif 000004
【図４】
0004603449.tif 000005
【図５】
0004603449.tif 000006
【図６】
0004603449.tif 000007
【図７】
0004603449.tif 000008
【図８】
0004603449.tif 000009
【図９】
0004603449.tif 000010
【図１０】
0004603449.tif 000011
【図１１】
0004603449.tif 000012
【図１２】
0004603449.tif 000013
【図１３】
0004603449.tif 000014
【図１４】
0004603449.tif 000015
【図１５】
0004603449.tif 000016
【図１６】
0004603449.tif 000017
【図１７】
0004603449.tif 000018
【図１８】
0004603449.tif 000019
【図１９】
0004603449.tif 000020
【図２０】
0004603449.tif 000021